(57)【要約】【課題】  快適に競技を行える照明を実現できる照明装置を提供する。【解決手段】  実施形態によれば、照明装置は、複数の照明機器を具備する。複数の照明機器は、それぞれが少なくとも１つの光源を有し、競技場内に向けた発光面を形成するように配置される。複数の照明機器が形成する発光面は、競技場の競技を行う領域における任意の位置から前記発光面を直接観察した場合に所定の輝度以上の高輝度となる面が所定の立体角以下となる。【選択図】      図１
2017062901.tif 000002
【特許請求の範囲】
【請求項１】
競技場に設置される照明装置において、
それぞれが少なくとも１つの光源を有し、前記競技場内に向けた発光面を形成するように配置される複数の照明機器を具備し、
前記複数の照明機器が形成する発光面は、前記競技場の競技を行う領域における任意の位置から前記発光面を直接観察した場合に所定の輝度以上の高輝度となる面が所定の立体角以下となる、
ことを特徴とする照明装置。
【請求項２】
前記複数の照明機器は、前記光源からの光を反射するリフレクターを有する、
ことを特徴とする請求項１に記載の照明装置。
【請求項３】
前記複数の照明機器が形成する発光面は、前記競技場の競技を行う領域における任意の位置にいる人物が前記発光面を直接観察した場合に、当該人物の有効視野の範囲内において所定の閾値以上の高輝度となる面が所定の立体角以下となる、
ことを特徴とする請求項１又は２の何れか１項に記載の照明装置。
【請求項４】
前記所定の輝度は、２００００乃至２００００００ｃｄ／ｍ＾２における何れかの値である、
ことを特徴とする請求項１乃至３に何れか１項に記載の照明装置。
【請求項５】
前記所定の立体角は、特定の速度で移動する移動体が前記所定の輝度以上の高輝度となる面によって視認できなくなる時間が所定時間未満となる立体角である、
ことを特徴とする請求項１乃至４の何れか１項に記載の照明装置。
【請求項６】
前記所定の立体角は、太陽の立体角を基準に設定される、
ことを特徴とする請求項１乃至４の何れか１項に記載の照明装置。
【請求項７】
前記複数の照明機器が形成する発光面は、特定の位置から直接観察した場合に前記所定の輝度以上の高輝度となる面が所定のパターン形状となる、
ことを特徴とする請求項１乃至６の何れか１項に記載の照明装置。
【発明の詳細な説明】
【技術分野】
【０００１】
本発明の実施形態は、照明装置に関する。
【背景技術】
【０００２】
大型照明装置は、夜間に競技が可能な大型の競技場などに設置される。競技場に設ける大型照明装置は、照射面（例えば、競技場における競技を行う領域）の照度を所定の規格に基づく所定の値以上になるように設計される（例えば、ＪＩＳＺ９１２７「スポーツ照明基準」）。例えば、屋外の大型の競技場においては、大型照明装置は、発光面が地上数十メートルの位置となる。この場合、大型照明装置は、発光面からの光で照明面を所定の照度にしなければならないため、発光面が非常に高い輝度となる。
【先行技術文献】
【特許文献】
【０００３】
【特許文献１】特開平６−８４４０３号公報
【発明の概要】
【発明が解決しようとする課題】
【０００４】
しかしながら、大型照明装置の発光面の輝度が高いと、競技場で行われる競技の妨げになることがある。従来、上述の規格によれば、照明器具からの強い光が眼に入る光による影響を測定する方法は、観測者の視線方向は水平より２°下方を向き、測定評価することとされているが、大型照明装置の発光面を直接観察する場合については、規格などで定められた一般的な指標が無く、詳細には検討されていない。このため、発光面が視野に入る可能性がある競技を行う競技場に設置する大型照明装置においては、競技者が快適に競技を行えるように発光面の輝度や高輝度の面の大きさなどが調整されることが望まれている。
【０００５】
本発明の目的は、競技者が快適に競技を行える照明を実現する照明装置を提供することである。
【課題を解決するための手段】
【０００６】
実施形態によれば、照明装置は、複数の照明機器を有する。複数の照明機器は、それぞれが少なくとも１つの光源を有し、競技場内に向けた発光面を形成するように配置される。複数の照明機器が形成する発光面は、競技場の競技を行う領域における任意の位置から前記発光面を直接観察した場合に所定の輝度以上の高輝度となる面が所定の立体角以下となる。
【発明の効果】
【０００７】
本発明は、競技者が快適に競技を行える照明を実現する照明装置を提供することができる。
【図面の簡単な説明】
【０００８】
【図１】図１は、第１の実施形態に係る大型照明装置の構成例を示す図である。
【図２】図２は、第１の実施形態に係る大型照明装置に用いられる照明機器の外観構成を示す図である。
【図３】図３は、第１の実施形態に係る大型照明装置に用いられる照明機器の正面図を示す図である。
【図４】図４は、第１の実施形態に係る実験の条件を説明するための図である。
【図５】図５は、第１の実施形態に係る実験の条件を説明するための図である。
【図６】図６は、第１の実施形態に係る実験の結果を示す図である。
【図７】図７は、第１の実施形態に係る実験の結果を示す図である。
【図８】図８は、第１の実施形態に係る実験に関連して高輝度の発光面によるボールの見えにくさを説明するための図である。
【図９】図９は、第２の実施形態に係る大型照明装置の発光面の第１の構成例を示す図である。
【図１０】図１０は、第２の実施形態に係る大型照明装置の発光面の第２の構成例を示す図である。
【発明を実施するための形態】
【０００９】
以下で説明する実施形態に係る照明装置１、１０１，１０２は、競技場に設置されるものであって、複数の照明装置２を具備する。前記複数の照明装置２は、それぞれが少なくとも１つの光源２１を有し、前記競技場内に向けた発光面を形成するように配置される。前記複数の照明機器２が形成する発光面は、前記競技場の競技を行う領域における任意の位置から発光面を直接観察した場合に所定の輝度以上の高輝度となる面が所定の立体角以下となる。
【００１０】
また、以下で説明する実施形態に係る照明装置１、１０１、１０２は、前記複数の照明機器２が前記光源２１からの光を反射するリフレクター２２を有する。
【００１１】
また、以下で説明する実施形態に係る照明装置１、１０１、１０２は、前記複数の照明機器２が前記競技場の競技を行う領域における任意の位置にいる人物が発光面を直接観察した場合に、当該人物の有効視野の範囲内において所定の閾値以上の高輝度となる面が所定の立体角以下となるように調整される。
【００１２】
また、以下で説明する実施形態に係る照明装置１、１０１、１０２は、前記所定の輝度が２００００乃至２００００００ｃｄ／ｍ＾２における何れかの値である。
【００１３】
また、以下で説明する実施形態に係る照明装置１、１０１、１０２は、前記所定の立体角が前記所定の高輝度の面が競技の妨げとなる時間が所定時間未満となる立体角である。
【００１４】
また、以下で説明する実施形態に係る照明装置１、１０１、１０２は、前記所定の立体角が太陽の立体角を基準に設定される。
【００１５】
また、以下で説明する実施形態に係る照明装置１、１０１、１０２は、前記複数の照明機器２が前記発光面を特定の位置から直接観察した場合に、前記所定の閾値以上の高輝度となる面が所定のパターン形状となる。
【００１６】
以下、図面を参照しながら、照明装置に関する実施の形態について詳細に説明する。  
（第１の実施形態）
図１は、第１の実施形態に係る大型照明装置（照明装置）１の構成例を示す図である。  
大型照明装置１は、複数の照明機器２（２ａ、２ｂ、…）を有する照明装置である。大型照明装置１は、複数の照明機器２、架台３および支持柱（ポール）４などを有する照明装置である。複数の照明機器２は、光を放射する投光器としての照明器具である。各照明機器２は、例えば、光源にＬＥＤを用いたＬＥＤ投光器である。架台３は、複数の照明機器２が取り付けられるものであり、支持柱４に設置される。支持柱４は、複数の照明機器２が取り付けられた架台３を所定の高さで支持する。
【００１７】
複数の照明機器２は、照射面に向けて発光面を形成するように配置される。各照明機器２は、それぞれの発光面の角度等が調整された状態で架台３に取り付けられる。複数の照明機器２が取り付けられた架台３は、支持柱４に取り付けられ、複数の照明機器２が形成する発光面が所定の高さとなるように設置される。例えば、複数の照明機器２は、図１に示すように並べた状態で設置される。
【００１８】
なお、大型照明装置１の構成は、図１に示す構成に限定されるものではない。例えば、大型照明装置１は、照明機器２の個数や配置などが特定の構成に限定されるものでは無い。また、照明面は、例えば、競技場において競技を行う領域である。大型照明装置１は、照射面において規定の照度を確保していることを前提するものとする。
【００１９】
図２は、第１の実施形態に係る大型照明装置１に用いられる各照明機器２の外観図である。また、図３は、各照明機器２の正面図である。  
図２及び図３に示す構成例において、各照明機器２は、ベース部１２、脚部１３、放熱部１４、および発光部１５を備える。  
ベース部１２は、発光部１５を支持する支持体である。ベース部１２は、発光部１５が設けられた面と放熱部１４が設けられた面とを備える。発光部１５が設けられた面と放熱部１４が設けられた面とは、互いに対向する位置に設けられている。また、ベース部１２は、脚部１３とヒンジなどの連結部材により連結されている。また、ベース部１２は、発光部１５に電力を供給する回路などを備える。
【００２０】
脚部１３は、ベース部１２を支持する支持体である。脚部１３は、大型照明装置１の架台３に取り付けるための取り付け部とベース部１２と連結され且つベース部１２の角度を変更可能なヒンジ部とを備える。脚部１３は、ヒンジ部の軸を中心としてベース部１２を回動させることにより、発光部１５が形成する当該照明機器の発光面の向きを変えることができる。
【００２１】
放熱部１４は、複数の放熱フィンを備える。放熱部１４は、ベース部１２の熱を放熱する。放熱部１４は、ベース部１２の発光部１５が設けられた面とは逆側の面に設けられている。放熱部１４の放熱フィンは、例えばアルミニウム、あるいはアルミダイカストなどの、放熱性に優れた軽量の部材によって形成されている。
【００２２】
発光部１５は、複数の発光モジュール２０を備える。図２及び図３に示す構成例において、発光部１５は、７つの発光モジュール２０（２０ａ、２０ｂ、２０ｃ、２０ｄ、２０ｅ、２０ｆ、２０ｇ）を有する。各発光モジュール２０は、光源２１と反射板２２とを有する。
【００２３】
光源２１は、点灯回路から供給される電力により発光する。光源２１は、例えば、ＬＥＤなどの発光素子により構成される。光源２１の発光素子としてのＬＥＤは、例えば、ＳＭＤ型又はＣＯＢ型がある。ただし、光源２１の発光素子は、特定の種類のＬＥＤに限定されるものではない。反射板２２は、光源２１が発光する光を反射するリフレクターである。反射板２２としてのリフレクターは、光源２１が発光する光を漏れ光の少ない光として放射させる機能を有する。
【００２４】
なお、照明機器２は、ＬＥＤ照明機器に限定されるものではないが、第１及び第２の実施形態においては、主として、照明機器２は、指向性が高く漏れ光が少ないＬＥＤ照明機器であることを想定して説明するものとする。
【００２５】
次に、競技場で実施した実験について説明する。  
図４は、実施した実験の条件を説明するための図である。  
以下に説明する実験は、競技者が競技しにくいと感じる（ボールが見えなくなる）大型照明装置の発光面の輝度と立体角とを評価することを意図した実験である。  
本実験は、高輝度な発光面がある照明柱（照明装置）を背景にした状態でボール（野球のボール）の見え方を被験者（競技者）に主観的に評価させる実験であり、夜間に実施したものである。  
被験者は、野球の競技者が５名である。各被験者は、過去にナイターで競技（野球）を経験した事のある者とした。  
被験者による主観的な評価は、照明装置を背景とした状態でフライボールを見た場合に、ボールが消えたかどうかを被験者が２択で評価するものとした。
【００２６】
図４に示すように、評価位置Ｐ１乃至Ｐ６は、競技する領域全体に点在する複数の位置とし、基準位置Ｐ０１乃至Ｐ０６は、評価位置Ｐ１乃至Ｐ６に対応する６箇所とした。また、フライボールは、図４に示す基準位置Ｐ０１乃至Ｐ０６から各評価位置Ｐ１乃至Ｐ６の方向に向けて打ち上げられるものとし、基準位置Ｐ０１乃至Ｐ０６は、各評価位置Ｐ１乃至Ｐ６から見て照明装置が背景となる位置とした。  
評価回数は、各評価位置Ｐ１乃至Ｐ６において、各被験者が４回（５名×４回＝計２０回）実施した。
【００２７】
図５（ａ）乃至（ｆ）は、各評価位置Ｐ１乃至Ｐ６から照明装置の発光面を見た場合の発光面における輝度を示す。実際の実験では、各評価位置Ｐ１乃至Ｐ６から照明装置の発光面全体を含む画像を撮影し、照明装置の発光面全体における輝度を示す写真画像を得たが、図５（ａ）乃至（ｆ）では、各評価位置Ｐ１乃至Ｐ６から見た発光面において、所定の輝度（３０万ｃｄ／ｍ＾２）以上の発光部（高輝度部分）とそれ以外の部分とを示している。図５（ａ）乃至（ｆ）では、各評価位置Ｐ１乃至Ｐ６から見た高輝度部分の発光面の大きさは異なる。つまり、図５（ａ）乃至（ｆ）は、各評価位置Ｐ１乃至Ｐ６から見た照明装置の発光面における３０万ｃｄ／ｍ＾２以上の発光部（高輝度部分）の立体角の違いを示している。
【００２８】
次に、上述した実験の結果について説明する。  
図６は、図４に示す実験の結果をまとめたグラフである。  
横軸は、閾値以上の発光部（高輝度の発光面）の立体角を表し、縦軸は、ボールが見える回数（ボールが消えて見えなかった回数）を表す。従って、主観評価としては縦軸の回数が少ない方が、競技を妨げるという意味になる。なお、図６では、閾値を３０万ｃｄ／ｍ＾２としたときの実験結果を示している。
【００２９】
図６に示す実験結果によれば、高輝度の発光面の大きさが大きくなるにつれ、ボールが見える回数が少なくなる方向に変化している。この結果から、高輝度の発光面が大きくなるにつれ、ボールが見えにくくなるため、競技がしにくくなると考えられる。
【００３０】
図７は、閾値とする輝度を２万ｃｄ／ｍ＾２から２００万ｃｄ／ｍ＾２までに設定した場合の相関係数Ｒを示す。ここで、相関係数とは、図６に示したボールが見える回数と閾値輝度以上の発光面の立体角との相関係数の絶対値である。図７に示す実験結果によれば、相関係数の絶対値は、約５万ｃｄ／ｍ＾２から約１００万ｃｄ／ｍ＾２までの間に高い値となり、３０万ｃｄ／ｍ＾２で最も大きい値となっている。この実験結果からは、高輝度の発光面は、閾値とする輝度が、５万ｃｄ／ｍ＾２から約１００万ｃｄ／ｍ＾２までの間の値とすることが考えられ、３０万ｃｄ／ｍ＾２が最適値と考えられる。
【００３１】
また、図７に示す結果によれば、閾値とする輝度が高くなるにつれ、相関係数が高くなる傾向がある。この結果から、輝度が高い発光面（高輝度の発光面）の方がボールの見えにくさとの相関が高いと考えられる。すなわち、図６及び図７に示す実験結果を鑑みると、高輝度の発光面は、ボールの見えにくさに関係が深いと考えることができ、高輝度の発光面が大きくなるにつれ、ボールが見えにくくなる。ボールが見えにくくなるという事は、ボールを使用する競技においては、競技がしにくくなると言える。このような知見から、上述の実験では、競技者の視界に高輝度の発光面が入る期間が長くなればなるほど、競技がしにくくなるという結論が得られる。
【００３２】
図８は、高輝度の発光面とボールの見え方との関係を模式的に示す図である。  
図８に示すように、眩しく感じる発光部分（ボールが消えて見える部分）が大きくなると、競技に与える影響が大きくなり、ボールが消えて見える期間が長くなればなるほど、ボールを見失ってしまう可能性が高くなる。従って、眩しく感じる発光部分（ボールが消えて見える部分）が高輝度の発光面であるとすれば、高輝度の発光面が競技に大きな影響を与えない程度の大きさ以下とすることが望まれると考えられる。
【００３３】
次に、第１の実施形態に係る大型照明装置１における複数の照明機器２が形成する発光面について説明する。  
第１の実施形態に係る大型照明装置１は、上述した実験による競技者の評価に基づいて調整された発光面により快適に競技を行える照明を提供する。すなわち、第１の実施形態に係る大型照明装置１の複数の照明機器２が形成する発光面は、競技領域の任意の位置から直接観察した場合に、所定の輝度以上の発光面が所定の立体角以下になるように調整される。ここでは、第１の実施形態に係る大型照明装置１は、上述した実験結果に基づいて発光面を形成する複数の照明機器２が調整されるものとする。すなわち、第１の実施形態に係る大型照明装置１は、所定の輝度と所定の立体角とが以下のように設定される。
【００３４】
まず、大型照明装置１の複数の照明機器２が形成する発光面における高輝度の発光面について説明する。  
一般的な屋内の照明環境に設置されている蛍光ランプや直管形ＬＥＤランプの発光面の輝度はおよそ２万ｃｄ／ｍ＾２であることから、ここでは、２万ｃｄ／ｍ＾２以上の輝度を高輝度とする。このため、蛍光ランプや直管形ＬＥＤランプの発光面の輝度以上の発光面を高輝度の発光面とすれば、所定の輝度は２万ｃｄ／ｍ＾２程度とする。
【００３５】
また、図７に示す実験結果によれば、１０万ｃｄ／ｍ＾２付近から相関係数が上昇する。このため、相関係数が上昇する輝度以上の発光面を高輝度の発光面とする場合、所定の輝度は１０万ｃｄ／ｍ＾２付近とする。  
また、図７に示す実験結果によれば、一般的に相関があると言われる０．８以上の輝度は、２０万〜５０万ｃｄ／ｍ＾２の範囲である。このため、相関係数が０．８以上となる輝度以上の発光面を高輝度の発光面とすると、所定の輝度は２０万〜５０万ｃｄ／ｍ＾２の範囲内に設定される。  
さらに、図７において最も相関係数が大きい輝度は３０万ｃｄ／ｍ＾２付近である。このため、最大の相関係数となる輝度以上の発光面を高輝度の発光面とすると、所定の輝度は３０万ｃｄ／ｍ＾２付近とする。
【００３６】
以上のように、高輝度の発光面とする閾値としての所定の輝度は、実験結果等により設定されるものである。ただし、高輝度の発光面とする閾値としての所定の輝度は、少なくとも高輝度と定義する２万ｃｄ／ｍ＾２以上であるものとする。また、高輝度の発光面とする閾値としての所定の輝度は、２００万ｃｄ／ｍ＾２以下であるものとする。
【００３７】
次に、大型照明装置１における高輝度の発光面の大きさ（立体角）について説明する。  
本実施形態において、発光面の大きさは立体角で表すものとする。一般に、立体角は、大きさを表す指標であり、面積を距離の二乗で除した値である。また、立体角の単位は、sr（ステラジアン）である。なお、高輝度の発光面の大きさは立体角以外の指標を用いて規定しても良い。
【００３８】
高輝度の発光面の立体角は、競技中に移動するボールが消えて見える時間（特定の速度で移動する移動体が高輝度の発光面によって視認できなくなる時間）が所定時間未満となるように設定しても良い。例えば、ボール（移動体）が自由落下する速度を考慮して、ボールが１秒間（所定時間）に移動する距離が４．９ｍであると想定する。１秒間にボールが移動する距離が４．９ｍであるとすると、１秒間にボールが移動する最大の面積は４．９ｍ×４．９ｍと考えられる。大型の競技場においては、競技する領域（競技領域）にいる競技者と発光面との距離は少なくとも１００ｍ以上あると考えられる。
【００３９】
競技者と発光面との距離が１００ｍであれば、発光面において４．９ｍ×４．９ｍの面積となる立体角は、０．００２４ｓｒとなる。この場合、ボールが視認できなくなる時間を１秒以内にするには、高輝度の発光面の立体角を０．００２４ｓｒ未満とするのが良いと考えられる。このような条件（高輝度の発光面の立体角が０．００２４ｓｒ未満）となるように各照明機器２を調整した大型照明装置１では、競技者が高輝度の発光面によってボールが１秒間以上の間、視認できなくなることを防げる。この結果、大型照明装置１は、ボールが視認不可となる高輝度の発光面を小さくすることにより、所定時間以上ボールが見えなくなる事を防止して快適に競技を行える照明を提供できる。
【００４０】
また、所定の立体角は、高輝度の代表格である太陽の立体角０．０００６８ｓｒ未満でも良い。このような条件（高輝度の発光面の立体角が０．０００６８ｓｒ未満）となるように各照明機器２を調整した大型照明装置は、太陽が出ている下で競技する場合と同等以上の快適さで競技を行える照明を提供できる。
【００４１】
また、既存の照明機器（例えば、光源がＨＩＤランプの照明機器）が配置された大型照明装置を、ＬＥＤ照明機器が配置された第１の実施形態に係る大型照明装置１に置き換える場合、第１の実施形態に係る大型照明装置における高輝度の発光面の立体角は、既存の大型照明装置における高輝度の発光面の立体角以下となるようにしても良い。
【００４２】
すなわち、既存の照明機器が配置された大型照明装置の発光面において所定の輝度以上となる発光面（高輝度の発光面）の立体角（従来装置の立体角）を規定しておき、第１の実施形態に係る大型照明装置は、発光面が従来装置の立体角以下となるように複数の照明機器２を調整するようにしても良い。このような条件（高輝度の発光面の立体角が従来装置以下）となるように各照明機器２を調整した大型照明装置は、従来装置と同等以上の快適さで競技を行える照明を提供できる。
【００４３】
また、実際の競技者は、有効視野内で競技に関する情報を視認する。このため、大型照明装置１の発光面は、競技領域にいる人物の有効視野内において、高輝度の発光面が所定の立体角以下となるように調整しても良い。ここで、有効視野は、人物が眼球運動だけで情報を注視し、瞬時に特定情報を雑音内より受容できる範囲である。一般に有効視野は、左右約15度、上約8度、下約12度以内の視野とされる。
【００４４】
このように、有効視野内において高輝度の発光面が所定の立体角以下となるように各照明機器２を調整した大型照明装置１は、複数の照明機器が形成する発光面を競技領域にいる人物が直接観察した場合に、当該人物の有効視野の範囲内において高輝度の発光面が所定の立体角以下となる。これにより、大型照明装置１は、競技者が快適に競技を行える照明環境を提供できる。
【００４５】
上述した第１の実施形態に係る大型照明装置の複数の照明装置は、ＬＥＤを光源とし、反射板がリフレクターである。リフレクターは漏れ光をカットする機能を有するため、大型照明装置の各照明機器は、漏れ光の少ない照明器具として実現できる。漏れ光が少ない照明機器を複数配置する大型照明装置は、各照明機器の調整によって高輝度の発光面の大きさを調整しやすくなる。
【００４６】
言い換えれば、漏れ光の小さい複数の照明装置を用いた大型照明装置は、各照明機器の調整によって競技領域における各所での発光面の輝度を容易に調整でき、所定の輝度以上となる高輝度の発光面を所定の立体角以下に調整することが容易である。さらに、競技者の有効視野などを考慮してより詳細に高輝度の発光面の立体角を調整する場合であっても、漏れ光の小さい複数の照明装置を用いた大型照明装置は、各照明機器の調整が可能となる。
【００４７】
以上説明したように、第１の実施形態によれば、照明装置は、競技領域における任意の位置から発光面を直接観察した場合に所定の輝度以上となる高輝度の発光面が所定の立体角以下となるため、競技領域においては競技者が快適に競技を行える。
【００４８】
（第２の実施形態）
次に、第２の実施形態について説明する。  
図９は、第２の実施形態に係る大型照明装置１０１の発光面の第１の構成例を示す図である。また、図１０は、第２の実施形態に係る大型照明装置１０２の発光面の第２の構成例を示す図である。  
第２の実施形態に係る大型照明装置１０１、１０２は、第１の実施形態で説明した大型照明装置と同様な構成を有するもので実現できる。すなわち、大型照明装置１０１、１０２は、図１に示すように複数の照明機器２、架台３及び支持柱４を有し、各照明機器２は、図２及び図３に示す構成を有するものである。このため、大型照明装置１０１、１０２の構成については詳細な説明を省略する。
【００４９】
第２の実施形態に係る大型照明装置１０１、１０２は、第１の実施形態に係る大型照明装置１と同様に、複数の照明機器２が形成する発光面が競技領域の任意の位置から直接観察した場合に所定の輝度以上となる高輝度の発光面が立体角以下となることが前提である。第２の実施形態に係る大型照明装置１０１、１０２は、複数の照明機器２を調整することにより、発光面が第１の実施形態で説明した条件を満たし、かつ、その条件内で高輝度の発光面が特定のパターンを形成するものである。
【００５０】
ただし、高輝度の発光面の分布が示す特定のパターンは、特定の位置（例えば、発光面の正面となる位置）で観察できるものであれば良い。また、高輝度の発光面の分布が示す特定のパターンは、競技領域内から観察できるものに限らず、競技領域外（例えば、観客席、或いは、競技場外）から観察できるものであっても良い。
【００５１】
また、特定のパターンは、任意の形状で良い。具体例として、特定パターンは、文字或いは記号を表す形状であっても良いし、ロゴマーク或いは図形などを表す形状であっても良い。  
図９に示す第１の構成例は、所定の輝度以上となる高輝度の発光面の分布が、漢字の「一」になっている例である。また、図１０に示す例は、所定の輝度以上の発光面が記号の丸型となっている例である。
【００５２】
以上説明したように、第２の実施形態に係る大型照明装置は、高輝度の発光面が特定のパターンとして観察できるように調整される。すなわち、第２の実施形態に係る大型照明装置、大型照明装置の発光面における高輝度の発光面の分布によって、記号、文字、ロゴマーク、図形などを表示できる。この結果として、第２の実施形態によれば、大型照明装置の照明によって競技者が快適に競技を行えるだけでなく、高輝度の発光面で特定のパターンを競技者や競技者以外の人物にも提示できる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１…大型照明装置（照明装置）、２（２ａ、２ｂ、…）…複数の照明機器、３…架台、４…支持柱、１２…ベース部、１３…脚部、１５…発光部、２０（２０ａ、２０ｂ、２０ｃ、２０ｄ、２０ｅ、２０ｆ、２０ｇ）…発光モジュール、２１…光源、２２…反射板（リフレクター）。
【図１】
2017062901.tif 000003
【図２】
2017062901.tif 000004
【図３】
2017062901.tif 000005
【図４】
2017062901.tif 000006
【図５】
2017062901.tif 000007
【図６】
2017062901.tif 000008
【図７】
2017062901.tif 000009
【図８】
2017062901.tif 000010
【図９】
2017062901.tif 000011
【図１０】
2017062901.tif 000012